(57)【要約】【課題】本考案は、抱っこひもを被覆して収納することができ、抱っこひも使用時にはコンパクトにして抱っこひもに装着することができる抱っこひもケースを提供する。【解決手段】抱っこひもケース１は、シート材から形成した筒状の本体部２と、本体部２の一端部側の開口部５を、開閉自在にした開閉部３と、本体部２の他端部側の開口部９の周囲と開口部９から適宜間隔を空けた本体部２の周囲とを伸縮自在にした伸縮部４と、を備えたことを特徴とする。２つの伸縮部間４は、本体部２の開閉部３側を纏め入れることが可能な収納部１０とすることができる。【選択図】図１
0003177831.tif 000002
【実用新案登録請求の範囲】
【請求項１】
シート材から形成した筒状の本体部と、本体部の一端部側の開口部を、開閉自在にした開閉部と、本体部の他端部側の開口部の周囲とその開口部から適宜間隔を空けた本体部の周囲とを伸縮自在にした伸縮部と、を備えた抱っこひもケース。
【請求項２】
伸縮部間を、本体部の開閉部側を纏め入れることが可能な収納部とした請求項１に記載の抱っこひもケース。
【請求項３】
伸縮部は、ゴム紐を本体部の周囲に備え付けて形成した請求項１又は２に記載の抱っこひもケース。
【請求項４】
開閉部は、前記一端部側開口部の周囲に挿通路を設け、挿通路内に紐材を挿し通して形成した請求項１〜３のいずれかに記載の抱っこひもケース。
【考案の詳細な説明】
【技術分野】
【０００１】
本考案は、抱っこひもを被覆して収納することができ、抱っこひも使用時にはコンパクトにして抱っこひもに装着することができる抱っこひもケースに関する。
【背景技術】
【０００２】
抱っこひも（子守帯やベビーキャリーなどともいう。）は、母親等が乳幼児と外出する場合に、楽に乳幼児を抱っこ又はおんぶができるようしたものである。一般的な抱っこひも１１としては、例えば、図７に示すように、背当て部１２の下部に乳幼児の両足を入れる股当て部１３を備え、母親が装着するための肩ベルト１４及び腰ベルト１５などを備えたものが知られている。腰ベルト１５は、バックル１６などにより留め外しができるようにしてある。
【０００３】
このような抱っこひもに関する発明としては、例えば、下記特許文献１又は２に示されたものがある。
【先行技術文献】
【特許文献】
【０００４】
【特許文献１】特開２００５−１２０５５２号公報
【特許文献２】特開２００４−３５８００５号公報
【考案の概要】
【考案が解決しようとする課題】
【０００５】
抱っこひもは、乳幼児を楽に抱っこ又はおんぶすることができて便利なものであるが、不使用時には、折り畳みにくく、肩ベルトや腰ベルトが纏まりにくいため、持ち運びにくいという難点があった。
バッグなどに入れて持ち運ぶとしても、纏まりにくくいため、バッグ内で広がりやすく他の荷物を取り出しにくくすることなどがあった。
【０００６】
そこで、本考案の目的は、抱っこひもを被覆して収納することができ、抱っこひも使用時にはコンパクトにして抱っこひものベルト部分などに装着することができる抱っこひもケースを提供することにある。
【課題を解決するための手段】
【０００７】
本考案の抱っこひもケースは、シート材から形成した筒状の本体部と、本体部の一端部側の開口部を、開閉自在にした開閉部と、本体部の他端部側の開口部の周囲とその開口部から適宜間隔を空けた本体部の周囲とを伸縮自在にした伸縮部と、を備えたことを特徴とするものである。
【０００８】
２つの伸縮部間は、本体部の開閉部側を纏め入れることが可能な収納部として形成することができる。
【０００９】
本考案の抱っこひもケースは、例えば、抱っこひも使用時には、抱っこひもケースの本体部の開閉部側を、２つの伸縮部間（収納部）の内側に纏め入れ、この状態で、抱っこひもの腰ベルトに挿し通して装着することができる。このため、抱っこひも使用時にはコンパクトに抱っこひもに装着することができる。また、抱っこひも不使用時には、抱っこひもを折り畳み、その抱っこひもを、抱っこひもケースの本体部で覆い、収納することができるため、持ち運びやすくすることができる。
【図面の簡単な説明】
【００１０】
【図１】本考案の一実施形態の抱っこひもケースを示し、（ａ）は斜視図、（ｂ）は収納部に本体部の開閉部側を収納した状態を示した斜視図である。
【図２】図１の抱っこひもケースを抱っこひもの腰ベルトに装着した状態の一例を示した図である。
【図３】図１の抱っこひもケースを抱っこひもの腰ベルトに装着した状態での抱っこひも使用例を示した図である。
【図４】図１の抱っこひもケースで抱っこひもを被覆する手順の一例を示した図である。
【図５】図１の抱っこひもケースで抱っこひもを被覆する手順の一例を示した図である。
【図６】図１の抱っこひもケースで抱っこひもを被覆し、収納した状態の一例を示した図である。
【図７】従来の抱っこひもの一例を示した正面図である。
【考案を実施するための形態】
【００１１】
以下、本考案の一実施形態の抱っこひもケースを図面に基づいて説明する。
【００１２】
本考案の一実施形態の抱っこひもケース１は、図１（ａ）に示すように、本体部２の一端部側に開閉部３を備え、本体部２の他端部側に伸縮部４を備えたものである。
【００１３】
本体部２は、図１（ａ）に示すように、矩形状のシート材の端部同士を結合し、筒状にして形成することができる。シート材の材質としては、例えば、ナイロン、ポリエステル、レーヨン、綿、麻、本革、合皮などを挙げることができる。
シート材は、抱っこひもを被覆して収納することができる大きさとし、例えば、縦７０ｃｍ〜１００ｃｍ程、横４０ｃｍ〜７０ｃｍ程のシート材を用いることができる。
シート材を筒状にするには、例えば、シート材の端部同士を縫製、接着、溶着などで結合すればよい。
【００１４】
開閉部３は、図１（ａ）に示すように、本体部２の一端部側の開口部５に形成してあり、開口部５を開閉自在することができるものである。
本実施形態では、開閉部３は、開口部５の周縁部を内側に折り返して挿通路６を形成し、その中に、組紐などからなる紐材７を、入口から出口に向かい挿し通し、周回させて形成してある。また、挿通路６の出入口から表出した紐材７にはコードストッパー８が備え付けてあり、コードストッパー８を解除した状態で表出した部分の紐材７を引くことにより、開口部５を締め付けて閉じることができるように形成してある。
【００１５】
伸縮部４は、図１（ａ）、（ｂ）に示すように、本体部２の他端部側の開口部９に形成してあり、開口部９の周囲及び開口部９から適宜間隔を空けた本体部２の周囲を伸縮自在にしてある。開口部９は、伸縮部４により、常時は収縮し、押し広げることにより拡張させることができるように形成してある。また、２つの伸縮部４間を収納部１０として形成し、図１（ｂ）に示すように、本体部２の開閉部３側を内側に纏め入れることができるようにしてある。
【００１６】
本実施形態では、伸縮部４は、開口部９の周囲と開口部９から適宜間隔を空けた本体部２の周囲とにゴム紐を並行に設けて形成してある。開口部９の周囲に設けた伸縮部４は、開口部９の周縁部を内側に折り返して挿通路を形成し、その中にゴム紐を挿し通し周回させて形成してある。もう一つの伸縮部４は、本体部２の表面に、谷状の挿通路を周方向に形成し、その中にゴム紐を埋設し周回させて形成してある。
２つの伸縮部４は、収縮時には抱っこひもの腰ベルトなどを締め付けできる程度の大きさになるように形成してある。
２つの伸縮部４の間隔、つまり収納部１０の幅は、本体部２の開閉部３側を折り畳みして纏め入れできる大きさとし、例えば、５ｃｍ〜１５ｃｍ程に形成することができる。
【００１７】
以下、抱っこひもケース１の使用方法の一例を示す。
なお、以下に、抱っこひもケース１を、図７に示した従来の抱っこひも１１に対して使用する方法を説明するが、本考案は、従来からある抱っこひものいずれにも使用できるものであり、特に腰ベルトを備えた抱っこひもに好適に使用できる。
【００１８】
抱っこひも１１を使用し、乳幼児を抱っこ又はおんぶする場合、抱っこひもケース１は、図２に示すように、抱っこひもケース１の本体部２の開閉部３側を収納部１０の内側に纏め入れた状態で、抱っこひも１１の腰ベルト１５に挿し通して装着する。このようにすることにより、図３に示すように、抱っこひも使用時でも、抱っこひもケース１はコンパクトに装着することができ、邪魔になりにくい。また、抱っこひもケース１は、伸縮部４が腰ベルト１５を締め付けているので、内側に纏めた本体部２がはみ出しにくいものである。
【００１９】
抱っこひも１１を使用しないときは、まず、図４に示すように、抱っこひもケース１の伸縮部４に腰ベルト１５を挿し通し、抱っこひも１１の背当て部１２を腰ベルト１５に向けて折り畳む。次に、図５に示すように、本体部２の開口部５側を引き、本体部２で抱っこひも１１の背当て部１２や肩ベルト１４などを覆う。そして、図６に示すように、開閉部３を閉じ、腰ベルト１５のバックル１６を留める。これにより、抱っこひも１１が抱っこひもケース１に被覆されるとともに、腰ベルト１５を持ち手とすることができ、持ち運びやすくすることができる。また、腰ベルト１５を肩にかけザックのように持ち運ぶこと
もできる。
【００２０】
抱っこひも１１を再び使用するときは、逆の手順により抱っこひも１１を拡げて使用することができる。
【００２１】
このように、抱っこひもケース１は、抱っこひも使用時には、本体部２の開閉部３側を、２つの伸縮部４間（収納部１０）の内側に纏め入れた状態で、抱っこひも１１の腰ベルト１５に装着することができる。このため、抱っこひも使用時にはコンパクトに抱っこひも１１に装着でき、邪魔にならないものである。また、抱っこひも不使用時には、折り畳みした抱っこひも１１を、抱っこひもケース１の本体部２で覆い収納することができる。腰ベルト１５を持ち手などとして使用すれば、持ち運びやすくすることができる。
【００２２】
上記実施形態の構成態様は、本考案を限定するものとして挙げたものではなく、技術目的を共通にするかぎり変更は可能であり、本考案はそのような変更を含むものである。
【符号の説明】
【００２３】
１抱っこひもケース  ２本体部  ３開閉部  ４伸縮部  ５開口部  ６挿通路
７紐材  ８コードストッパー  ９開口部  １０収納部
【図１】
0003177831.tif 000003
【図２】
0003177831.tif 000004
【図３】
0003177831.tif 000005
【図４】
0003177831.tif 000006
【図５】
0003177831.tif 000007
【図６】
0003177831.tif 000008
【図７】
0003177831.tif 000009